(57)【要約】      （修正有）【課題】気流を所望の方向に集めたり、範囲広く分散するように空調設備の風向きを調節できる風向き調節構造を提供する。【解決手段】空調設備の風向き調節構造は、ケース１０と、駆動ユニット２０と、連動仕組み３０と、調節仕組み４０、を有し、駆動ユニットは、ケースに取り付けられ、連動仕組みは、駆動ユニットと連動するようにケースに取り付けられ、調節仕組みは、複数のスイングボード４２を備え、スイングボードは、スイング可能にケースに取り付けられ、それぞれの対応する駆動リング３３及び従動リング３４に連結される。駆動ユニットを駆動すると、駆動リング及び従動リングは中央向きまたは外側向きに移動しながら、スイングボードを連動して同期に中央向きまたは外側向きにスイングさせる。【選択図】図３
0003215476.tif 000002
【実用新案登録請求の範囲】
【請求項１】
中空状のケースであり、長手方向を備えると共に、互いに平行かつ間隔をおいて設けられる第一壁部及び第二壁部を備え、該第一壁部の中央に中央軸が設けられるケースと、
前記ケースに取り付けられる駆動ユニットと、
前記駆動ユニットと連動結合するようにケースの第一壁部に取り付けられ、移動ブロックと、枢転リングと、駆動リングと、従動リングを備え、該移動ブロックは、駆動ユニットと結合するように第一壁部に取り付けられ、駆動ユニットにより長手方向に沿って移動可能となり、該枢転リングは、中心穴を介して回転可能に中央軸に環装され、該駆動リングは、一端を介して移動ブロックに連接され、長手方向に沿って水平段が延設され、該水平段に複数の挿設穴が間隔をおいて形成され、他端が斜めに延出して枢転リングの一端に枢設され、該従動リングは、一端が斜めに延出して枢転リングの他端に枢設され、長手方向に沿って水平段が延設され、該水平段に複数の挿設穴が間隔をおいて形成される、連動仕組みと、
それぞれ、一端が回転可能に第一壁部に挿設され、他端が回転可能に第二壁部に挿設され、第一壁部端に連動柱が延設され、該連動柱が対応する駆動リングまたは従動リングにおける挿設穴に挿設されると共に、スイング可能に前記ケースに取り付けられる複数のスイングボードを備える、調節仕組みと、を有し、
そのうち、前記駆動ユニットを駆動して移動ブロックを長手方向に沿って移動させることにより、該移動ブロックと連動した駆動リング及び従動リングが同期に中央向きまたは外側向きに移動しながら、該複数のスイングボードを同期に中央向きまたは外側向きにスイングすることを特徴とする空調設備の風向き調節構造。
【請求項２】
前記第一壁部に、移動凹部が長手方向に沿って凹設され、
前記駆動ユニットは、第一壁部へ延出する回転軸を備え、該回転軸に歯車が環装され、
前記移動ブロックは、移動可能に移動凹部に嵌め込まれ、歯車と噛合するラックを備えることを特徴とする請求項１に記載の空調設備の風向き調節構造。
【請求項３】
前記移動ブロックの内端に、掛け柱が凸設され、前記駆動リングの外端に掛け穴が形成され、該掛け柱が掛け穴に係合連結されることを特徴とする請求項１または２に記載の空調設備の風向き調節構造。
【請求項４】
前記調節仕組みは、両端が第一壁部及び第二壁部に結合するようにケースの中央に固定される中央スボードを備えることを特徴とする請求項１に記載の空調設備の風向き調節構造。
【請求項５】
前記中央スボードにおける第一壁部の近傍の下側に、収容凹部が形成され、該収容凹部に、枢転リングの端部及び従動リングの端部を位置させることを特徴とする請求項４に記載の空調設備の風向き調節構造。
【請求項６】
前記第二壁部の中央に中央管部が凸設され、前記中央スボードにおける第二壁部側に中央軸が凸設され、該中央軸が中央管部に挿設されることを特徴とする請求項４または５に記載の空調設備の風向き調節構造。
【請求項７】
前記第一壁部の両側にそれぞれ、長手方向に沿って複数の第一管部が凸設され、
前記第二壁部の両側にそれぞれ、第一管部に対応する複数の第二管部が凸設され、
前記複数のスイングボードはそれぞれ、両端に保持軸が設けられ、第一壁部端の保持軸が回転可能に第一管部に挿設され、第二壁部端の保持軸が回転可能に第二管部に挿設されることを特徴とする請求項１に記載の空調設備の風向き調節構造。
【考案の詳細な説明】
【技術分野】
【０００１】
本考案は、特に空調設備の風向きを調節することができる風向き調節構造に関するものである。
【背景技術】
【０００２】
既存のエアコンや、空気清浄機、除湿機、冷風扇などの空調設備は、風向きの調節を強化するために、送り出し口または入り口に、複数のガイドボードを取り付け、それらのガイドボードは、それぞれ間隔をおいて平行に配置されると共に、空調設備のケースに対して上下又は左右に同期にスイングすることができるため、風向きを調節したり、気流を案内したりする効果があった。
【先行技術文献】
【特許文献】
【０００３】
【特許文献１】特開２００１−３１７８００号公報
【考案の概要】
【考案が解決しようとする課題】
【０００４】
しかしながら、既存の空調設備のガイドボードは、同期かつ同一方向に稼動するように設計されたことから、すべてのガイドボードが同期かつ、同じの方向（上下向き或いは左右向き）にスイングすることとなった。それでは、風向きを変更して気流の循環に向上させる効果があるが、使用者の需要によって、気流を所望の方向に集めたり、範囲広く分散したりするように制御することができないことから、使用上に実用性及び利便性が優れなく、改良する必要があった。
【課題を解決するための手段】
【０００５】
本考案に係る空調設備の風向き調節構造は、
中空状のケースであり、長手方向を備えると共に、互いに平行かつ間隔をおいて設けられる第一壁部及び第二壁部を備え、該第一壁部の中央に中央軸が設けられるケースと、
前記ケースに取り付けられる駆動ユニットと、
前記駆動ユニットと連動結合するようにケースの第一壁部に取り付けられ、移動ブロックと、枢転リングと、駆動リングと、従動リングを備え、該移動ブロックは、駆動ユニットと結合するように第一壁部に取り付けられ、駆動ユニットにより長手方向に沿って移動可能となり、該枢転リングは、中心穴を介して回転可能に中央軸に環装され、該駆動リングは、一端を介して移動ブロックに連接され、長手方向に沿って水平段が延設され、該水平段に複数の挿設穴が間隔をおいて形成され、他端が斜めに延出して枢転リングの一端に枢設され、該従動リングは、一端が斜めに延出して枢転リングの他端に枢設され、長手方向に沿って水平段が延設され、該水平段に複数の挿設穴が間隔をおいて形成される、連動仕組みと、
それぞれ、一端が回転可能に第一壁部に挿設され、他端が回転可能に第二壁部に挿設され、第一壁部端に連動柱が延設され、該連動柱が対応する駆動リングまたは従動リングにおける挿設穴に挿設されると共に、スイング可能に前記ケースに取り付けられる複数のスイングボードを備える、調節仕組みと、を有し、
そのうち、前記駆動ユニットを駆動して移動ブロックを長手方向に沿って移動させることにより、該移動ブロックと連動した駆動リング及び従動リングが同期に中央向きまたは外側向きに移動しながら、該複数のスイングボードを同期に中央向きまたは外側向きにスイングするものである。
【０００６】
かかる空調設備の風向き調節構造において、
前記第一壁部に、移動凹部が長手方向に沿って凹設され、
前記駆動ユニットは、第一壁部へ延出する回転軸を備え、該回転軸に歯車が環装され、
前記移動ブロックは、移動可能に移動凹部に嵌め込まれ、歯車と噛合するラックを備えることが好ましい。
【０００７】
かかる空調設備の風向き調節構造において、
前記移動ブロックの内端に、掛け柱が凸設され、前記駆動リングの外端に掛け穴が形成され、該掛け柱が掛け穴に係合連結されることが好ましい。
【０００８】
かかる空調設備の風向き調節構造において、
前記調節仕組みは、両端が第一壁部及び第二壁部に結合するようにケースの中央に固定される中央スボードを備えることが好ましい。
【０００９】
かかる空調設備の風向き調節構造において、
前記中央スボードにおける第一壁部の近傍の下側に、収容凹部が形成され、該収容凹部に、枢転リングの端部及び従動リングの端部を位置させることが好ましい。
【００１０】
かかる空調設備の風向き調節構造において、
前記第二壁部の中央に中央管部が凸設され、前記中央スボードにおける第二壁部側に中央軸が凸設され、該中央軸が中央管部に挿設されることが好ましい。
【００１１】
かかる空調設備の風向き調節構造において、
前記第一壁部の両側にそれぞれ、長手方向に沿って複数の第一管部が凸設され、
前記第二壁部の両側にそれぞれ、第一管部に対応する複数の第二管部が凸設され、
前記複数のスイングボードはそれぞれ、両端に保持軸が設けられ、第一壁部端の保持軸が回転可能に第一管部に挿設され、第二壁部端の保持軸が回転可能に第二管部に挿設されることが好ましい。
【考案の効果】
【００１２】
本考案に係る空調設備の風向き調節構造は、駆動ユニットが連動仕組みを介して調節仕組みを駆動することができ、それらのスイングボードを同期に中央スボードと接近するようにスイングさせたり、それらのスイングボードを同期に中央スボードから離れるようにスイングさせたりすることにより、空調設備からの風を案内して、中央に集めたり、外側に分散したりしてコントロールすることができる。一方、その駆動ユニットが正逆回動に行うことができるため、それらのスイングボードを往復にスイングさせてもよいことから、気流を集めたり分散したりして、室内の空気を循環させる機能を与える。本考案に係る空調設備の風向き調節構造を有すれば、空調設備の風向きを自由に調節することができ、実用性及び利便性が高い。
【図面の簡単な説明】
【００１３】
【図１】本考案に係る空調設備の風向き調節構造の斜視図である。
【図２】本考案に係る空調設備の風向き調節構造の分解斜視図である。
【図３】本考案に係る空調設備の風向き調節構造の部分断面斜視図である。
【図４】本考案に係る空調設備の風向き調節構造の後面視部分断面図である。
【図５】本考案に係る空調設備の風向き調節構造において、スイングボードが中央に向かって集めた状態を示す説明図である。
【図６】本考案に係る空調設備の風向き調節構造において、スイングボードが外側に向かって分散した状態を示す説明図である。
【考案を実施するための形態】
【００１４】
図１乃至図３に示すように、本考案に係る空調設備の風向き調節構造は、ケース１０と、駆動ユニット２０と、連動仕組み３０と、調節仕組み４０を有し、そのうち、ケース１０は、長方矩形且つ中空状のケースであり、長手方向を備え、２つの断面Ｕ字形の枠から組み合わされてもよく、また、該ケース１０は、互いに平行かつ間隔をおいて設けられる第一壁部１１及び第二壁部１２を備え、該第一壁部１１の中央に中央軸１１１が設けられ、該中央軸１１１の両側にそれぞれ、長手方向に沿って複数の第一管部１１２が凸設され、該各第一管部１１２に貫通穴または凹部が形成され、該第二壁部１２の内側中央に中央管部１２０が凸設され、該第二壁部１２の両側にそれぞれ、長手方向に沿って第一管部１１２に対応する複数の第二管部１２１が凸設され、該各第二管部１２１に貫通穴または凹部が形成される。前記ケース１０の一端に取付台１３が設置され、該第一壁部１１における取付台１３の近傍に、長手方向に沿って移動凹部１４が凹設される。
【００１５】
前記駆動ユニット２０は、ケース１０の取付台１３に取り付けられ、第一壁部１１に向かって延出する回転軸（図示せず）を備え、該回転軸に歯車２１が環装される。
【００１６】
前記連動仕組み３０は、駆動ユニット２０と連動結合するようにケース１０の第一壁部１１に取り付けられ、移動ブロック３１と、枢転リング３２と、駆動リング３３と、従動リング３４を備え、該移動ブロック３１は、駆動ユニット２０と結合すると共に、該駆動ユニット２０により長手方向に沿って移動可能に第一壁部１１の移動凹部１４に嵌め込まれ、該移動ブロック３１の内部下縁にラック３１０が設けられ、該ラック３１０が歯車２１に噛合され、また、該移動ブロック３１の内端に、掛け柱３１１が凸設され、該枢転リング３２の中央に中心穴３２０が形成され、該枢転リング３２は、中心穴を介して回転可能に中央軸１１１に環装され、該駆動リング３３は、ケース１０における駆動ユニット２０の近傍の一側に設置され、その外端に掛け穴３３０が形成され、前記掛け柱３１１が移動ブロック３１の掛け穴３３０に係合連結され、また、該駆動リング３３がスムーズに移動するために、該掛け穴３３０は上下方向の長穴を呈することが好ましい。該駆動リング３３は、下側に略弧状の凹み部が凹設されることから、中央ボード１１１と干渉することを防ぐ。さらに、該駆動リング３３は、長手方向に沿って水平段が延設され、該水平段における第一管部１１２の下方に対応する箇所に、複数の挿設穴３３１が間隔をおいて形成され、該駆動リング３３の外端が水平段から斜めに延出して枢転リング３２の上端に枢設される。前記駆動リング３３がスムーズに移動するために、該挿設穴３３１は、長手方向の長穴を呈することが好ましい。
【００１７】
前記従動リング３４は、ケース１０の内部における駆動ユニット２０と反対する側に設置され、内端が斜めに延出して枢転リング３２の下端に枢設され、長手方向に沿って水平段が延設され、該水平段に複数の挿設穴３４１が間隔をおいて形成される。前記従動リング３４がスムーズに移動するために、該挿設穴３４１は、長手方向の長穴を呈することが好ましい。該従動リング３４は、上側に略弧状の凹み部が凹設されることから、中央ボード１１１と干渉することを防ぐ。
【００１８】
前記調節仕組み４０は、連動仕組み３０と連結するとうに、スイング可能にケース１０の内部に取り付けられ、中央スボード４１及び複数のスイングボード４２を備え、該中央スボード４１は、ケース１０の中央に設置され、両端を介して第一壁部１１及び第二壁部１２に取り付けられ、該中央スボード４１における第一壁部１１の近傍の下側に、収容凹部４１１が形成され、該収容凹部４１１に、枢転リング３２の端部及び従動リング３４の端部を位置させる。尚、該中央スボード４１における第二壁部１２側に中央軸４１２が凸設され、該中央軸４１２が中央管部１２０に挿設されることが好ましい。
【００１９】
前記複数のスイングボード４２はそれぞれ、連動仕組み３０に連結するように、スイング可能にケース１０の内部両側に取り付けられ、該各スイングボード４２の両端にそれぞれ、保持軸４２０が設けられ、そのうち、第一壁部１１端の保持軸４２０が回転可能に第一管部１１２に挿設され、第二壁部１２端の保持軸４２０が回転可能に第二管部１２１に挿設される。また、該各スイングボード４２における第一壁部１１端かつ保持軸４２０の下方に連動柱４２１が延設され、該連動柱４２１が対応する駆動リング３３または従動リング３４における挿設穴３３１に挿設される。
【００２０】
本考案に係る空調設備の風向き調節構造を空調設備に装着する場合は、まずケース１０を空調設備の風送り出し口または入り口に取り付け、駆動ユニット２０が空調設備の電源制御装置と接続され、該駆動ユニット２０を駆動すると、図４乃至図６に示すように、該駆動ユニット２０の回転軸が回転して、歯車２１がラック３１０と噛合することにより、移動ブロック３１を左向きまたは右向きに移動させて、駆動リング３３を同期に連動することができる。
【００２１】
前記駆動リング３３の内端が枢転リング３２の上端に枢設されることから、枢転リング３２が左向きまたは右向きにスイングしながら、枢転リング３２の下端に枢設された従動リング３４を右向きまたは左向きに移動させ、すなわち、駆動リング３３と従動リング３４との移動方向は、逆にし、例えば、駆動リング３３と従動リング３４とが同期に枢転リング３２と接近するように移動したり、枢転リング３２と離れるように移動したりする。この時、調節仕組み４０の駆動リング３３及び従動リング３４に連結した複数のスイングボード４２では、枢転リング３２または従動リング３４により連動してケース１０に対して左右にスイングし、すなわち、それらのスイングボード４２は、同期に中央スボード４１と接近するようにスイングしてもよく、同期に中央スボード４１から離れるようにスイングしてもよく、使用者の需要に応じて、気流をコントロールして、中央に集めてもよく、両側に分散してもよい。
【００２２】
本考案に係る空調設備の風向き調節構造は、駆動ユニット２０が連動仕組み３０を介して調節仕組み４０を駆動することができ、それらのスイングボード４２を同期に中央スボード４１と接近するようにスイングさせたり、それらのスイングボード４２を同期に中央スボード４１から離れるようにスイングさせたりすることにより、空調設備からの風を案内して、中央に集めたり、外側に分散したりしてコントロールすることができる。一方、その駆動ユニット２０が正逆回動に行うことができるため、それらのスイングボード４２を往復にスイングさせてもよいことから、気流を集めたり分散したりして、室内の空気を循環させる機能を与える。本考案に係る空調設備の風向き調節構造を有すれば、空調設備の風向きを自由に調節することができ、実用性及び利便性が高い。
【符号の説明】
【００２３】
１０ ケース
１１ 第一壁部
１１１ 中央軸
１１２ 第一管部
１２ 第二壁部
１２０ 中央管部
１２１ 第二管部
１３ 取付台
１４ 移動凹部
２０ 駆動ユニット
２１ 歯車
３０ 連動仕組み
３１ 移動ブロック
３１０ ラック
３１１ 掛け柱
３２ 枢転リング
３２０ 中心穴
３３ 駆動リング
３３０ 掛け穴
３３１ 挿設穴
３４ 従動リング
３４１ 挿設穴
４０ 調節仕組み
４１ 中央スボード
４１１ 収容凹部
４１２ 中央軸
４２ スイングボード
４２０ 保持軸
４２１ 連動柱
【図１】
0003215476.tif 000003
【図２】
0003215476.tif 000004
【図３】
0003215476.tif 000005
【図４】
0003215476.tif 000006
【図５】
0003215476.tif 000007
【図６】
0003215476.tif 000008